(57)【要約】【課題】図面の重要度に応じて特許公報中の図面の大きさを変更することで、該特許公報の読解を支援する特許公報編集装置、特許公報編集方法およびプログラムを提供する。【解決手段】特許公報入力部１１は、特許公報テキストと複数の図面画像ファイルとを入力する。段落切り分け処理部１２は、特許公報テキストを段落に分割する。図面番号抽出部１３は、段落が参照する図面番号を抽出する。図面番号重要度決定部１４は、図面番号抽出部１３で得られた図面番号の重要度を、該図面番号を参照している段落ごとに決定する。特許公報再構成部１６は、図面番号の重要度に応じて図面の大きさを変更し、前記図面番号を参照する段落の前後左右のいずれか一方に前記図面番号を表す図面ファイルを挿入、配置することにより図面挿入済特許公報を作成し、特許公報表示部１８は図面挿入済特許公報を表示する。【選択図】  図１
2010049393.tif 000002
【特許請求の範囲】
【請求項１】
特許公報テキストの文中に画像を挿入し、特許公報の読解を支援する特許公報編集装置において、
前記特許公報テキストと該特許公報テキストの文中で参照している図面を表す複数の図面画像ファイルとを入力とする特許公報入力部と、
前記特許公報入力部から入力された前記特許公報テキストを段落に分割する段落切り分け処理部と、
前記段落切り分け処理部での分割により作成された段落が参照する図面番号を、該段落の文中から抽出する図面番号抽出部と、
前記図面番号抽出部で得られた前記図面番号の重要度を、前記図面番号を参照している段落ごとに決定する図面番号重要度決定部と、
前記図面番号重要度決定部で得られた前記図面番号の重要度に応じて前記図面番号で識別される図面の大きさを変更し、前記図面番号を参照する段落の前後左右のいずれか一方に前記図面番号で識別される図面を表す図面ファイルを挿入、配置することにより、図面挿入済特許公報を作成する特許公報再構成部と、
前記特許公報再構成部で作成された図面挿入済特許公報を表示する特許公報表示部と、を備えることを特徴とする特許公報編集装置。
【請求項２】
請求項１に記載の特許公報編集装置において、前記図面番号重要度決定部は、前記図面番号の重要度を、前記図面番号を参照している段落の数、前記図面番号が前記特許公報テキスト中の図面番号の中で出現している順番、前記図面番号が表す数字の大きさ、前記図面番号で識別される図面が代表図として参照されているか否か、前記図面番号を参照している段落を構成している文字数、の少なくとも１つにより決定することを特徴とする特許公報編集装置。
【請求項３】
請求項１乃至２に記載の特許公報編集装置において、前記特許公報表示部は、前記図面挿入済特許公報の中の図面を、観者が認識できる表示可能領域の中央に前記図面が位置する程大きく表示し、該表示可能領域の中央から離れる程小さく表示することを特徴とする特許公報編集装置。
【請求項４】
請求項１乃至２に記載の特許公報編集装置において、前記特許公報表示部は、前記図面挿入済特許公報の中の図面が選択された場合に、該図面を識別する図面番号を参照する複数の段落を一覧表示し、および／または、前記図面挿入済特許公報の中の一部の文字列が選択された場合に、該文字列を使用している複数の段落を、該段落が含まれる明細書を構成する項目名とともに一覧表示することを特徴とする特許公報編集装置。
【請求項５】
請求項１乃至４の何れか１項に記載の特許公報編集装置において、前記段落切り分け処理部で作成された段落のうち図面番号を参照している結合対象段落の文中から、該結合対象段落が参照している図面番号とは異なる数字列を抽出し、前記結合対象段落に後続する段落のうち前記数字列を含む段落を前記結合対象段落に結合することにより１つの段落とする段落結合処理手段をさらに備えることを特徴とする特許公報編集装置。
【請求項６】
特許公報テキストの文中に画像を挿入し、特許公報の読解を支援する特許公報編集装置が行う特許公報編集方法において、
前記特許公報テキストと該特許公報テキストの文中で参照している図面を表す複数の図面画像ファイルとを入力とする特許公報入力ステップと、
前記特許公報入力ステップから入力された前記特許公報テキストを段落に分割する段落切り分け処理ステップと、
前記段落切り分け処理ステップでの分割により作成された段落が参照する図面番号を、該段落の文中から抽出する図面番号抽出ステップと、
前記図面番号抽出ステップで得られた前記図面番号の重要度を、前記図面番号を参照している段落ごとに決定する図面番号重要度決定ステップと、
前記図面番号重要度決定ステップで得られた前記図面番号の重要度に応じて前記図面番号で識別される図面の大きさを変更し、前記図面番号を参照する段落の前後左右のいずれか一方に前記図面番号で識別される図面を表す図面ファイルを挿入、配置することにより、図面挿入済特許公報を作成する特許公報再構成ステップと、
前記特許公報再構成ステップで作成された図面挿入済特許公報を表示する特許公報表示ステップと、を備えることを特徴とする特許公報編集方法。
【請求項７】
請求項６に記載の特許公報編集方法であって、前記図面番号重要度決定ステップにおいて、前記図面番号の重要度は、前記図面番号を参照している段落の数、前記図面番号が前記特許公報テキスト中の図面番号の中で出現している順番、前記図面番号が表す数字の大きさ、前記図面番号で識別される図面が代表図として参照されているか否か、前記図面番号を参照している段落を構成している文字数、の少なくとも１つにより決定されることを特徴とする特許公報編集方法。
【請求項８】
請求項６乃至７に記載の特許公報編集方法であって、前記特許公報表示ステップにおいて、前記図面挿入済特許公報の中の図面を、観者が認識できる表示可能領域の中央に前記図面が位置する程大きく表示し、該表示可能領域の中央から離れる程小さく表示することを特徴とする特許公報編集方法。
【請求項９】
請求項６乃至７に記載の特許公報編集方法であって、前記特許公報表示ステップにおいて、前記図面挿入済特許公報の中の図面が選択された場合に、該図面を識別する図面番号を参照する複数の段落を一覧表示し、および／または、前記図面挿入済特許公報の中の一部の文字列が選択された場合に、該文字列を使用している複数の段落を、該段落が含まれる明細書を構成する項目名とともに一覧表示することを特徴とする特許公報編集方法。
【請求項１０】
請求項６乃至９の何れか１項に記載の特許公報編集方法であって、前記段落切り分け処理ステップにおいて作成された段落のうち図面番号を参照している結合対象段落の文中から、該結合対象段落が参照している図面番号とは異なる数字列を抽出し、前記結合対象段落に後続する段落のうち前記数字列を含む段落を前記結合対象段落に結合することにより１つの段落とする段落結合処理手段をさらに備えることを特徴とする特許公報編集方法。
【請求項１１】
請求項６から１０の何れか１項に記載された方法をコンピュータに実行させるためのプログラム。
【発明の詳細な説明】
【技術分野】
【０００１】
本発明は、文字のみで構成されている特許公報テキストに、図面を挿入し、特許公報テキストの読解を支援する特許公報編集装置および方法に関し、特に図面の大きさを前記特許公報テキストの記載内容に応じて差別化して編集する特許公報編集装置、特許公報編集方法およびプログラムを特徴とする。
【背景技術】
【０００２】
特許公報は近年電子化が進んでおり、多くの特許公報がＩＰＤＬ（Industrial Property Digital Library：特許電子図書館）または市販の特許データベースから電子化された特許公報のファイルを入手することが可能になっている。
従来、該電子化された特許公報を読む場合、前記ＩＰＤＬ（特許電子図書館）または市販の特許データベースから前記電子化された特許公報のファイルをダウンロードするか、インターネットブラウザを含む閲覧ツールを活用し、該閲覧ツール上で特許公報を読んでいた。
【０００３】
前記ＩＰＤＬ（特許電子図書館）および市販の特許データベースから入手可能なファイルには、文字のみで構成されているテキストファイルの形式の他、ｐｄｆファイルを代表とする文章と図面が混在したファイルの形式があった。
従来、入手した特許公報テキストのファイルが前記文字のみで構成されているテキストファイルの形式の場合、特許公報の内容を読解するには文中で参照している図面を別途入手する必要があり、手間を要した。また図面を入手した後でも特許公報テキストを読む場合、前記文字のみで構成されているテキストファイルと前記図面を交互に開く必要があり、読みづらいという課題があった。
【０００４】
また前記ｐｄｆファイルを代表とする、文章と図面が混在したファイルを読む場合、文章と図面が同一ファイルに収められているため、交互に文章ファイルと図面ファイルを開く必要があり読みづらいという課題は解決されているが、前記図面が特許公報の一部にまとめて配置されており、図面を参照する度にページの切り替えをする必要があり、図面と文章の対応付けが取りづらいという課題があり、簡便に特許公報を読解することができなかった。
【０００５】
従来、前記図面と文章の対応付けが取りづらいという課題に対し、入力された文書に画像を挿入する方法が提案されている。それらの方法では文書を構成している単語を抜き出し、該文書を構成している単語に関係する画像を挿入することで、該文書の内容に即した画像を選択することを実現している。そのような文書への画像挿入方法の技術として特許文献１がある。
【０００６】
特許文献１の技術は、文章中に画像を挿入する位置を決定する画像配置位置決定部を持ち、あらかじめ該画像配置位置決定部で定められた画像挿入位置の近くに配置される文章中の単語をもとに、挿入する画像を選択する方法である。
特許文献１では、あらかじめタグ付けされた画像データ群を持っており、前記画像挿入位置に近接する単語をタグとして持つ画像を選択、挿入している。また、挿入位置により近い単語の重みづけを変更することで、前記図面挿入位置に近い文章の内容をより正確に反映した画像の選択を可能としている。
【０００７】
また、表示する画像の大きさを観者の視力に応じて拡大する方法が提案されている。そのような画像拡大表示方法の技術として特許文献２がある。
特許文献２の技術は画像中に記載されている文字の大きさを認識し、該文字の大きさと観者の視力を考慮し、該観者の視力に適した大きさに画像を拡大、表示することを実現している。
【特許文献１】特開２００７−１６４６９２号公報
【特許文献２】特開２００７−１７２２５１号公報
【発明の開示】
【発明が解決しようとする課題】
【０００８】
しかしながら、特許文献１では、文章の内容を反映した画像の選択はなし得ているが、文章の内容の重要度を反映した画像の選択、表示方法を提示することはなし得ていない。特に特許公報の場合、文意を正確に理解できる表示方法が求められており、特許公報中における図面の重要度が図面の表示に反映されることが望ましい。特許文献１の技術ではこのような重要度に応じた画像表示方法の実現をなし得てはいない。
また、特許文献２では、観者の視力に応じた画像拡大表示方法を提供してはいるが、観者の目線に応じた画像の拡大・表示方法を提示することはなし得てはいない。
【０００９】
そこで本発明は、上記従来の未解決の問題に着目しなされたものであり、図面の重要度に応じて特許公報中の図面の大きさを変更することで、該特許公報の読解を支援する特許公報編集装置、特許公報編集方法およびプログラムを提供することを目的とする。
また、観者の視線に応じて動的に特許公報中の図面の大きさを変更することで、該特許公報の読解を支援する特許公報編集装置、特許公報編集方法およびプログラムを提供することを目的とする。
【課題を解決するための手段】
【００１０】
上記問題を解決するために、本発明の請求項１にかかる特許公報編集装置は、特許公報テキストの文中に画像を挿入し、特許公報の読解を支援する特許公報編集装置において、前記特許公報テキストと該特許公報テキストの文中で参照している図面を表す複数の図面画像ファイルとを入力とする特許公報入力部と、前記特許公報入力部から入力された前記特許公報テキストを段落に分割する段落切り分け処理部と、前記段落切り分け処理部での分割により作成された段落が参照する図面番号を、該段落の文中から抽出する図面番号抽出部と、前記図面番号抽出部で得られた前記図面番号の重要度を、前記図面番号を参照している段落ごとに決定する図面番号重要度決定部と、前記図面番号重要度決定部で得られた前記図面番号の重要度に応じて前記図面番号で識別される図面の大きさを変更し、前記図面番号を参照する段落の前後左右のいずれか一方に前記図面番号で識別される図面を表す図面ファイルを挿入、配置することにより、図面挿入済特許公報を作成する特許公報再構成部と、前記特許公報再構成部で作成された図面挿入済特許公報を表示する特許公報表示部と、を備えることを特徴とする。
【００１１】
この請求項１の発明によれば、前記入力された特許公報テキストの中に内容に適する図面を挿入するとともに、該図面を前記特許公報テキスト中の重要度に対応した大きさで表示することが可能になり、読解を支援する特許公報編集装置の提供が可能になる。
また、請求項２にかかる特許公報編集装置は、請求項１に記載の特許公報編集装置において、前記図面番号重要度決定部は、前記図面番号の重要度を、前記図面番号を参照している段落の数、前記図面番号が前記特許公報テキスト中の図面番号の中で出現している順番、前記図面番号が表す数字の大きさ、前記図面番号で識別される図面が代表図として参照されているか否か、前記図面番号を参照している段落を構成している文字数、の少なくとも１つにより決定することを特徴とする。
【００１２】
この請求項２の発明によれば、前記図面番号の重要度が前記図面番号を参照している段落の数、前記図面番号が前記特許公報テキスト中に出現している順番、前記図面番号が示す数字の大きさ、代表図として参照されているか否か、前記図面番号を参照している段落を構成している文字数、の少なくとも１つにより決定されるため、開示している発明の記述の中での発明の技術的核心部を示す重要度に対応した大きさで前記図面を表示することが可能になり、特許公報の読解を支援する特許公報編集装置の提供が可能になる。
【００１３】
また、請求項３にかかる特許公報編集装置は、請求項１乃至２に記載の特許公報編集装置において、前記特許公報表示部は、前記図面挿入済特許公報の中の図面を、観者が認識できる表示可能領域の中央に前記図面が位置する程大きく表示し、該表示可能領域の中央から離れる程小さく表示することを特徴とする。
この請求項３の発明によれば、図面が表示領域の中央に位置する程大きく表示されるため、観者の読解位置、注視すべき位置を明確に提示することができ、読解を支援する特許公報編集装置の提供が可能になる。
【００１４】
また、請求項４にかかる特許公報編集装置は、請求項１乃至２に記載の特許公報編集装置において、前記特許公報表示部は、前記図面挿入済特許公報の中の図面が選択された場合に、該図面を識別する図面番号を参照する複数の段落を一覧表示し、および／または、前記図面挿入済特許公報の中の一部の文字列が選択された場合に、該文字列を使用している複数の段落を、該段落が含まれる明細書を構成する項目名とともに一覧表示することを特徴とする。
【００１５】
この請求項４の発明によれば、表示されている前記図面挿入済特許公報の中の図面が選択された場合に、該図面を示す図面番号を参照する複数の段落を一覧表示するため、該図面を参照する複数の文脈が異なる段落を一望することが可能になり、また前記図面挿入済特許公報の中の文字列が選択された場合に、該文字列を使用している複数の段落を、明細書を構成する項目名とともに一覧表示するため、該文字列を参照する複数の文脈が異なる段落を一望することを可能とする、読解を支援する特許公報編集装置の提供が可能になる。
【００１６】
また、請求項５にかかる特許公報編集装置は、請求項１乃至４の何れか１項に記載の特許公報編集装置において、前記段落切り分け処理部で作成された段落のうち図面番号を参照している結合対象段落の文中から、該結合対象段落が参照している図面番号とは異なる数字列を抽出し、前記結合対象段落に後続する段落のうち前記数字列を含む段落を前記結合対象段落に結合することにより１つの段落とする段落結合処理手段をさらに備えることを特徴とする。
【００１７】
この請求項５の発明によれば、前記結合対象段落の文中の図面番号とは異なる数字列は、前記結合対象段落が参照している図面番号によって識別される図面を構成している構成要素を指し示す符号であると考えられ、該構成要素を説明している段落を前記結合対象段落に結合することにより一つの段落としてまとめることで、前記結合対象段落が参照している図面番号によって識別される図面を説明している段落をより高い精度で抽出することが可能となる。
【００１８】
請求項６にかかる特許公報編集方法は、特許公報テキストの文中に画像を挿入し、特許公報の読解を支援する特許公報編集装置が行う特許公報編集方法において、前記特許公報テキストと該特許公報テキストの文中で参照している図面を表す複数の図面画像ファイルとを入力とする特許公報入力ステップと、前記特許公報入力ステップから入力された前記特許公報テキストを段落に分割する段落切り分け処理ステップと、前記段落切り分け処理ステップでの分割により作成された段落が参照する図面番号を、該段落の文中から抽出する図面番号抽出ステップと、前記図面番号抽出ステップで得られた前記図面番号の重要度を、前記図面番号を参照している段落ごとに決定する図面番号重要度決定ステップと、前記図面番号重要度決定ステップで得られた前記図面番号の重要度に応じて前記図面番号で識別される図面の大きさを変更し、前記図面番号を参照する段落の前後左右のいずれか一方に前記図面番号で識別される図面を表す図面ファイルを挿入、配置することにより、図面挿入済特許公報を作成する特許公報再構成ステップと、前記特許公報再構成ステップで作成された図面挿入済特許公報を表示する特許公報表示ステップと、を備えることを特徴とする。
【００１９】
また、請求項７にかかる特許公報編集方法は、請求項６に記載の特許公報編集方法であって、前記図面番号重要度決定ステップにおいて、前記図面番号の重要度は、前記図面番号を参照している段落の数、前記図面番号が前記特許公報テキスト中の図面番号の中で出現している順番、前記図面番号が表す数字の大きさ、前記図面番号で識別される図面が代表図として参照されているか否か、前記図面番号を参照している段落を構成している文字数、の少なくとも１つにより決定されることを特徴とする。
【００２０】
また、請求項８にかかる特許公報編集方法は、請求項６乃至７に記載の特許公報編集方法であって、前記特許公報表示ステップにおいて、前記図面挿入済特許公報の中の図面を、観者が認識できる表示可能領域の中央に前記図面が位置する程大きく表示し、該表示可能領域の中央から離れる程小さく表示することを特徴とする。
また、請求項９にかかる特許公報編集方法は、請求項６乃至７に記載の特許公報編集方法であって、前記特許公報表示ステップにおいて、前記図面挿入済特許公報の中の図面が選択された場合に、該図面を識別する図面番号を参照する複数の段落を一覧表示し、および／または、前記図面挿入済特許公報の中の一部の文字列が選択された場合に、該文字列を使用している複数の段落を、該段落が含まれる明細書を構成する項目名とともに一覧表示することを特徴とする。
【００２１】
また、請求項１０にかかる特許公報編集方法は、請求項６乃至９の何れか１項に記載の特許公報編集方法において、前記段落切り分け処理ステップにおいて作成された段落のうち図面番号を参照している結合対象段落の文中から、該結合対象段落が参照している図面番号とは異なる数字列を抽出し、前記結合対象段落に後続する段落のうち前記数字列を含む段落を前記結合対象段落に結合することにより１つの段落とする段落結合処理手段をさらに備えることを特徴とする。
また、請求項１１の発明にかかるプログラムは、サーバからのダウンロードあるいは記録媒体からのコピーによってコンピュータに記憶させることで、請求項６から１０の何れか１項に記載された方法をコンピュータによって実現することが可能となる。
【発明の効果】
【００２２】
本発明により、図面の重要度に応じて特許公報中の図面の大きさを変更することができるため、該特許公報の読解を支援する特許公報編集の提供が可能となる。また、観者の視線に応じて動的に該図面の大きさを変更することができるため、該特許公報の読解を支援する特許公報編集の提供が可能となる。
【発明を実施するための最良の形態】
【００２３】
以下、本発明の実施の形態について説明する。
【実施例１】
【００２４】
本発明の実施の形態について、具体的な例として、特許公報テキスト１０と特許公報テキスト１０の中で参照している図面番号を表す複数の図面画像ファイル１５とを入力とした場合について説明する。
図１は、本実施例に係る特許公報編集装置の構成図である。同図に示すように、特許公報編集装置は、特許公報入力部１１、段落切り分け処理部１２、図面番号抽出部１３、図面番号重要度決定部１４、特許公報再構成部１６および特許公報表示部１８を備えている。これらの機能は、特許公報編集装置が備える図示せぬＣＰＵ（Central Processing Unit）が、ハードディスクやＲＯＭ（Read Only Memory）等の記憶装置に記憶されたプログラムを実行することにより実現される機能である。
【００２５】
特許公報入力部１１には、特許公報テキスト１０と、特許公報テキスト１０の中で参照されている図面番号を表す複数の図面画像ファイル１５とが入力される。ここで特許公報テキスト１０はＩＰＤＬ（特許電子図書館）が一般に公開している電子版特許公報テキストであり、内部に図面が含まれていない、テキストフォーマットと呼ばれる文字列処理が可能な形式で記述されているものであり、ＩＰＤＬが別途公開しているｐｄｆファイルとは異なる。図面画像ファイル１５は、ＩＰＤＬ（特許電子図書館）が一般に公開している特許公報テキスト１０で参照されている図面を表す図面画像ファイルである。
【００２６】
段落切り分け処理部１２では、特許公報テキスト１０を入力とし、特許公報テキスト１０をテキスト中に記載されている隅付き括弧を段落区切り位置として分割し、段落を作成する。
図２は段落切り分け処理部１２の動作の説明図である。特許公報テキスト２０は隅付き括弧の位置で分割され、複数の段落２１が作成される。
【００２７】
図面番号抽出部１３は、段落切り分け処理部１２で作成された前記段落の文中から図面番号を抽出する。具体的には、図面番号抽出部１３は、段落切り分け処理部１２で作成された前記段落に対し、前記段落の中で記載されている文字「図」と該文字「図」に続く数字列とで構成される文字列（「図＊＊＊」）を検索し、該数字列で表される数を前記段落が参照する図面番号として抽出する。前記文字列が見つからない場合には参照する図面番号がないものとする。
【００２８】
図３は、図面番号抽出部１３の動作の説明図である。段落切り分け処理部１２で作成された段落３０から、段落の中で記載されている文字列「図１」を検索し、段落３０が参照する図面番号として１を抽出している。
図面番号重要度決定部１４は、図面番号抽出部１３で抽出された前記図面番号の重要度を段落毎に決定する。本実施例では該重要度の計算を２段階に分けて実施している。該重要度の１段目の計算で求められる重要度１は、ユーザーが選択した以下に示す式１乃至式４のいずれか一つの計算方法により求めている。
重要度１＝参照段落数  ‥‥式１
重要度１＝（最大図面番号−図面番号出現順位＋１）×参照段落数  ‥‥式２
重要度１＝参照している段落の文字数  ‥‥式３
【００２９】
【数１】
2010049393.tif 000003
【００３０】
式１は、図面番号を参照している段落の数を意味している。図面番号を参照している段落の数が多いということは、該図面番号で識別される図面は発明に共通に使用される内容を表し、該図面番号で識別される図面は発明の核心を表していると考えられる。
式２は、図面番号の出現の順番を考慮している。特許公報テキストの中では、発明の核になる技術の説明は発明の核ではない技術の説明よりも先に記述される傾向にあると考えられ、特許公報テキストの中で先に参照される図面番号の方が後で参照される図面番号よりも重要度が高いと考えられる。式２では（最大図面番号−図面番号出現順位＋１）により、特許公報テキストの中でより先に参照される図面番号の重要度を上げている。
【００３１】
式３乃至式４では、図面番号を参照している段落の文字数を考慮しているが、これは図面番号を参照している段落の文字数が多いということは、図面番号の内容が詳細に説明されていることを示し、発明者が重要であると判断していると考えられ、図面番号が表している図面は発明の核心を表していると考えられるためである。
なお、重要度１の決定方法は、上記式１乃至４の何れかの式による方法に限定されることはなく、例えば、図面番号出現順位のみ、あるいは、図面番号が表す数字の大きさのみに基づいて決定してもよい。この場合、図面番号出現順位や、図面番号が表す数字が小さいほど重要度１が大きくなる。あるいは、図面番号で識別される図面が代表図として参照されているか否かに基づいて決定してもよい。この場合、代表図面として使用されている図面は、代表図面として使用されていない図面よりも重要度１が大きくなる。また、この場合の実装方法としては、各図面番号で識別される図面が代表図として参照されているか否かを示すフラグをメモリに設け、該フラグに基づいて代表図として参照されているか否かを判定するとよい。さらには、上記方法をいくつか組み合わせて決定してもよい。
【００３２】
図面番号重要度決定部１４は、段落ごとに計算される前記図面番号の前記１段目の計算で求められる重要度１の値を以下に示す式５に代入し、最終重要度を決定している。式５においてｍｉｎ（重要度１）は、段落ごとに計算される前記図面番号の前記１段目の計算で求められる重要度１の中の最小値を示している。重要度１／ｍｉｎ（重要度１）とすることにより、図面の重要度を常に１以上にし、図面が縮小されることにより生じる可読性の劣化を防いでいる。また、ｍｉｎ（２．０、＊）は、２．０と＊とのうち小さい値を示しており、この式により、本実施例では最終重要度の値を最大２．０にしている。これにより、発明の核心を表す重要な図面の場合でも著しく大きく拡大表示されることにより生じる可読性の劣化を防いでいる。
【００３３】
【数２】
2010049393.tif 000004
【００３４】
特許公報再構成部１６は、段落切り分け処理部１２で作成された段落、入力された複数の図面画像ファイル１５、図面番号抽出部１３で得られた図面番号および図面番号重要度設定部１４で得られた段落ごとの図面番号の重要度を入力とし、該段落の前後左右のいずれか一方に、該段落が参照する図面番号を表す図面画像ファイルを挿入し、図面挿入済特許公報１７を作成する。
【００３５】
挿入される図面は、予め定められた特許公報表示部１８で表示される特許公報表示領域の幅の半分に、前記最終重要度を重畳した値を幅としてもつように、画像の大きさが変更される。前記最終重要度は１以上２．０以下の値に設定されており、もっとも重要と考えられる図面は最大２．０倍まで拡大表示される。
特許公報表示部１８は、図面挿入済特許公報１７を入力とし、ユーザーに図面挿入済特許公報を表示する。
【００３６】
図４は、挿入された図面１および図面２が特許公報表示部１８で表示された時の特許公報表示領域４０の説明図である。
挿入された該図面１および該図面２は、前記最終重要度に応じて表示の大きさが変更され、より重要と判断された該図面１が該図面２より大きく表示されている。
図５および図６は、特許公報表示部１８の特許公報表示領域をスクロール等によって変更した場合の動作を説明する特許公報表示領域の説明図である。図５および図６では動作の内容を明確にするために、特許公報再構成部１６で挿入されている図面の大きさを同じ大きさにしている。
【００３７】
図５は、特許公報表示部１８の特許公報表示領域５０で表示される図面が画面中央に近い程、特許公報再構成部１６で決定された大きさで表示され、図面が画面中央から離れる程、特許公報再構成部１６で決定された大きさよりも小さな大きさで表示されることを示している。
特許公報表示部１８では、特許公報表示領域がスクロール等によって変更されると、該特許公報表示領域内に表示されている図面のうち、中央に位置する図面が大きくなる。
【００３８】
図６は、図５の特許公報表示領域５０をスクロールした時の特許公報表示領域６０を示す説明図である。スクロールによって、図５では下部に表示されていた段落００１２が図６では中央に位置し、図５では小さく表示されていた図面３が大きく表示され、図５では中央に表示されていた段落００１０が図６では上部に位置し、図５では大きく表示されていた図面２が小さく表示されている。
【００３９】
本実施例では、０．５×ｃｏｓ（ｒ）＋０．５で表される動的拡大率を、特許公報再構成部１６で決定された図面の大きさに重畳し、特許公報表示部１８で表示する図面の大きさとしている。なお、ここでｒとは画面中央からの高さ方向の画面上の距離を表している。
特許公報表示部１８は、特許公報表示領域に表示されている図面をユーザーが選択すると、該図面を示す図面番号を参照する段落切り分け処理部１２で作成された段落の一覧を表示する。
【００４０】
前記図面を参照する異なる文脈を持つ段落の一覧が同一画面上に表示されるため、ユーザーは前記画面に対する理解を深耕させることが可能になる。
図７は、特許公報表示部１８で表示されている図面２をユーザーが選択した場合の動作の説明図である。特許公報表示領域７０に表示されている該図面２を選択すると、該図面２を参照する段落切り分け処理部１２で作成された段落の一覧が図面参照段落一覧表示部７１に表示される。これにより、ユーザーは該図面２を参照する異なる文脈の段落の全てを図面参照段落一覧表示部７１で一度に確認することができ、該画面２に対する理解を深耕することが可能になる。
【００４１】
また、特許公報表示部１８は、特許公報表示領域に表示されている特許公報テキストの中の文字列をユーザーが選択すると、該文字列を使用している段落切り分け処理部１２で作成された段落の一覧を表示する。
前記文字列を使用する異なる文脈を持つ段落の一覧が同一画面に表示されるため、ユーザーは前記文字列に対する理解を深耕させることが可能になる。
【００４２】
図８は、特許公報表示部１８で表示されている特許公報テキストの中の文字列をユーザーが選択した場合の動作を示した説明図である。特許公報表示領域８０に表示されている文字列「図面の大きさを変更」をユーザーが選択すると、段落切り分け処理部１２で作成された段落の中の該文字列を使用している段落の一覧が、該文字列を使用している段落が含まれる明細書項目名（段落が特許公報テキストの中で位置する明細書項目名）とともに、選択文字列使用段落一覧表示部８１に表示される。
ここで明細書項目名とは「発明の効果」、「発明を実施するための最良の形態」等の特許公報を構成する項目のことである。
【実施例２】
【００４３】
実施例２は実施例１に係る特許公報編集装置に対し、段落結合処理部１０１を付加したものである。
図９は、本実施例に係る特許公報編集装置を示したものである。本実施例に係る特許公報編集装置は、実施例１に係る特許公報編集装置に対して段落結合処理部１０１が付加されている点が実施例１とは異なる。それ以外は実施例１と同等である。
段落結合処理部１０１は、段落切り分け処理部１２で作成された段落の中の複数の段落を、一つの段落として再構成するものである。
【００４４】
具体的には、段落結合処理部１０１は、段落切り分け処理部１２で作成された段落のうち、図面番号を参照している段落である結合対象段落のテキストの中から、該結合対象段落が参照している図面番号（つまり、「図＊＊＊」中の「＊＊＊」部分の番号）とは異なる数字列を抽出する。そして、前記結合対象段落に後続する段落の中から前記数字列を含む段落を検索し、前記数字列を含む段落を前記結合対象段落に結合し、一つの段落とする。
【００４５】
段落結合処理部１０１で抽出する前記図面番号とは異なる数字列は、前記結合対象段落が参照している図面番号によって識別される図面を構成している構成要素を指し示す符号であると考えられ、該構成要素を説明している段落を、図面番号を参照している前記結合対象段落に結合し、一つの段落としてまとめることで、前記結合対象段落が参照している図面番号によって識別される図面を説明している段落をより高い精度で抽出することが可能となり、前記図面番号の重要度の信頼性を増すことが可能となる。
【００４６】
図１０は、段落結合処理部１０１における動作を説明したフローチャートである。
Ｓ９０では、入力された段落のすべてを処理対象に設定する。
Ｓ９１では、入力されたすべての段落を処理したか否かを確認し、すべての段落が処理されていればＳ９１１に進み終了する。すべての段落が処理されていない場合は、Ｓ９２に進み次の未処理の段落を選択する。
【００４７】
Ｓ９３では、選択された未処理の段落が前記図面番号抽出部１３で図面番号が抽出されていた段落か否かを確認し、該図面番号が見つかっていた場合にはＳ９４に進み、見つかっていない場合にはＳ９７へ進む。
Ｓ９４では、内部変数である番号リストを空に初期化し、内部変数である段落保持変数を未設定に初期化する。
Ｓ９５では、前記選択された未処理の段落の文の中から、図面番号とは異なる数字列を抽出し、それを前記番号リストへ登録する。
【００４８】
Ｓ９６では、前記選択された未処理の段落を前記段落保持変数に設定し、Ｓ９１に戻る。
Ｓ９７では、前記選択された段落の文の中から、図面番号とは異なる数字列を抽出する。
Ｓ９８では、前記図面番号とは異なる数字列が前記番号リストに登録されているか否かを確認し、登録されている場合にはＳ９１０へ進み、登録されていない場合にはＳ９９へ進む。
Ｓ９１０では、前記選択された未処理の段落を前記段落保持変数に設定されている段落に結合する。
Ｓ９９では、内部変数である番号リストを空に初期化し、内部変数である段落保持変数を未設定に初期化する。
【図面の簡単な説明】
【００４９】
【図１】本発明の実施例１に係る特許編集装置の構成図である。
【図２】段落切り分け処理部の説明図である。
【図３】図面番号抽出部の説明図である。
【図４】特許公報表示領域の説明図である。
【図５】図面の大きさの特許公報表示領域の中での違いの説明図である。
【図６】特許公報表示領域の変更によって図面の大きさが変更される動作を示す説明図である。
【図７】特許公報表示領域の中の図面をユーザーが選択した場合の動作の説明図である。
【図８】特許公報表示領域の中の文字列をユーザーが選択した場合の動作の説明図である。
【図９】本発明の実施例２に係る特許編集装置の構成図である。
【図１０】段落結合処理部における動作を説明したフローチャートである。
【符号の説明】
【００５０】
１０  特許公報テキスト
１１  特許公報入力部
１２  段落切り分け処理部
１３  図面番号抽出部
１４  図面番号重要度設定部
１５  図面画像ファイル
１６  特許公報再構成部
１７  画面挿入済特許公報
１８  特許公報表示部
２０  特許公報テキスト
２１  段落
３０  段落
４０  特許公報表示領域
５０  特許公報表示領域
６０  特許公報表示領域
７０  特許公報表示領域
７１  図面参照段落一覧表示部
８０  特許公報表示領域
８１  選択文字列使用段落一覧表示部
１０１  段落結合処理部
【図１】
2010049393.tif 000005
【図２】
2010049393.tif 000006
【図３】
2010049393.tif 000007
【図４】
2010049393.tif 000008
【図５】
2010049393.tif 000009
【図６】
2010049393.tif 000010
【図７】
2010049393.tif 000011
【図８】
2010049393.tif 000012
【図９】
2010049393.tif 000013
【図１０】
2010049393.tif 000014